【手続補正書】
【提出日】平成24年4月16日(2012.4.16)
【手続補正１】
【補正対象書類名】特許請求の範囲
【補正対象項目名】全文
【補正方法】変更
【補正の内容】
【特許請求の範囲】
【請求項１】
表面が回転可能な感光体と、
前記感光体に画像を形成する画像形成手段と、
前記感光体が停止状態から回転を開始して経過した時間である回転時間に関する情報と、前記感光体が回転状態から停止して経過した時間である停止時間に関する情報とを取得する情報取得手段と、
画像形成装置の温湿度に関する情報を検知する温湿度検知手段と、記録材に転写されたトナー像を定着する定着装置と、を備える画像形成装置において、
前記画像形成手段による画像形成条件を制御する制御手段とを備え、
前記定着装置を通過した記録材が現像剤像を転写される位置を通過しないモードを第一の印刷モード、前記定着装置を通過した記録材が現像剤像を転写される位置を通過するモードを第二の印刷モードとして、前記制御手段は、次の画像形成の画像形成条件を、前記回転時間に関する情報と、前記停止時間に関する情報と、前記温湿度に関する情報と、次の画像形成よりも前の画像形成が第１の印刷モードか第２の印刷モードのどちらであるかと、に応じて決定することを特徴とする画像形成装置。
【請求項２】
前記第１の印刷モードとは、片面印刷モードであり、前記第２の印刷モードとは、両面印刷モードであることを特徴とする請求項１記載の画像形成装置。
【請求項３】
前記画像形成手段は、
前記感光体の表面を帯電する帯電装置、
前記感光体に露光することにより静電潜像を形成する露光装置、
前記静電潜像に現像剤を供給して現像剤像とする現像装置を備えることを特徴とする、請求項１乃至２記載の画像形成装置。
【請求項４】
前記制御手段は、温度と相対湿度から絶対湿度を算出し、
前記制御手段は、温度と、絶対湿度と、前記回転時間と前記停止時間に応じて前記画像形成条件を変更することを特徴とする請求項１乃至３記載の画像形成装置。
【請求項５】
前記画像形成条件は、帯電装置に印加する帯電バイアス、現像装置に印加する現像バイアスの少なくとも１つであることを特徴とする、請求項１乃至４記載の画像形成装置。
【請求項６】
前記第１の印刷モードとは、片面印刷モードであり、前記第２の印刷モードとは、両面印刷モードであり、
前記温湿度、前記回転時間、前記停止時間の条件が同じ場合、次の画像形成よりも前の画像形成が前記両面印刷モードの時は、次の画像形成よりも前の画像形成が前記片面印刷モードの時よりも、帯電装置に印加する帯電バイアスの絶対値を大きくすることを特徴とする、請求項１乃至５記載の画像形成装置。
【請求項７】
前記第１の印刷モードとは、片面印刷モードであり、前記第２の印刷モードとは、両面印刷モードであり、前記温湿度、前記回転時間、前記停止時間の条件が同じ場合、次の画像形成よりも前の画像形成が前記両面印刷モードの時は、次の画像形成よりも前の画像形成が前記片面印刷モードの時よりも現像装置に印加する現像バイアスの絶対値を小さくすることを特徴とする、請求項１乃至５記載の画像形成装置。
【請求項８】
前記制御手段は、帯電バイアスの絶対値を増加させるように作用する第１の補正量と、帯電バイアスの絶対値を減少させるように作用する第２の補正量と、を計算する第１の計算手段を備え、
前記第１の補正量と、前記第２の補正量と、に応じて帯電バイアスを制御することを特徴とする、請求項５記載の画像形成装置。
【請求項９】
前記制御手段は、現像バイアスの絶対値を減少させるように作用する第３の補正量と、と現像バイアスの絶対値を増加させるように作用する第４の補正量と、を計算する第２の計算手段を備え、
前記第３の補正量と、前記第４の補正量と、に応じて、現像バイアスを制御することを特徴とする、請求項５記載の画像形成装置。
【請求項１０】
前記第１の計算手段は、前記回転時間が増加するほど帯電バイアスの絶対値を増加させるように前記第１の補正量を計算し、前記停止時間が増加するほど帯電バイアスの絶対値を減少させるように前記第１の補正量を計算することを特徴とする、請求項８記載の画像形成装置。
【請求項１１】
前記第１の計算手段は、前記回転時間が増加するほど帯電バイアスの絶対値を減少させるように前記第２の補正量を計算し、前記停止時間が増加するほど帯電バイアスの絶対値を増加させるように前記第２の補正量を計算することを特徴とする、請求項８に記載の画像形成装置。
【請求項１２】
前記第２の計算手段は、前記回転時間が増加するほど現像バイアスの絶対値を減少させるように前記第３の補正量を計算し、前記停止時間が増加するほど現像バイアスの絶対値を増加させるように前記第３の補正量を計算することを特徴とする、請求項９に記載の画像形成装置。
【請求項１３】
前記第２の計算手段は、前記回転時間が増加するほど現像バイアスの絶対値を増加させるように前記第４の補正量を計算し、前記停止時間が増加するほど現像バイアスの絶対値を減少させるように前記第４の補正量を計算することを特徴とする、請求項９に記載の画像形成装置。
【請求項１４】
前記第２の印刷モード時、前記第１の計算手段は前記第１の補正量を、前記第１の印刷モード時における前記第１の補正量よりも、帯電バイアスの絶対値を増加させるような値に計算することを特徴とする請求項８記載の画像形成装置。
【請求項１５】
前記第２の印刷モード時、前記第２の計算手段は前記第３の補正量を、前記第１の印刷モード時における前記第３の補正量よりも、現像バイアスの絶対値を減少させるような値に計算することを特徴とする請求項９記載の画像形成装置。
【手続補正２】
【補正対象書類名】明細書
【補正対象項目名】００３２
【補正方法】変更
【補正の内容】
【００３２】
表面が回転可能な感光体と、
前記感光体に画像を形成する画像形成手段と、
前記感光体が停止状態から回転を開始して経過した時間である回転時間に関する情報と、前記感光体が回転状態から停止して経過した時間である停止時間に関する情報とを取得する情報取得手段と、
画像形成装置の温湿度に関する情報を検知する温湿度検知手段と、記録材に転写されたトナー像を定着する定着装置と、を備える画像形成装置において、
前記画像形成手段による画像形成条件を制御する制御手段とを備え、
前記定着装置を通過した記録材が現像剤像を転写される位置を通過しないモードを第一の印刷モード、前記定着装置を通過した記録材が現像剤像を転写される位置を通過するモードを第二の印刷モードとして、前記制御手段は、次の画像形成の画像形成条件を、前記回転時間に関する情報と、前記停止時間に関する情報と、前記温湿度に関する情報と、次の画像形成よりも前の画像形成が第１の印刷モードか第２の印刷モードのどちらであるかと、に応じて決定することを特徴とする画像形成装置。
【手続補正３】
【補正対象書類名】明細書
【補正対象項目名】００５８
【補正方法】変更
【補正の内容】
【００５８】
ＣＰＵ２２は以下を備えている。ＶＬの変動を予測する計算手段２５。計算手段２５によってＶＬの変動を予測した結果に基づいて画像形成条件の制御を行う制御手段２３。感光体回転時間や感光体停止時間の計測が可能な時間計測手段（情報取得手段）であるタイマー２４。現在のプリントが片面プリントモードで行われているか両面プリントモードで行われているかを判断する印刷条件判断手段３１を備えている。
【手続補正４】
【補正対象書類名】明細書
【補正対象項目名】０１２６
【補正方法】変更
【補正の内容】
【０１２６】
なお、本実施例では、記録材の印刷モードが一度も前記定着装置を通過しない記録材のみに対して転写を行うモードを片面プリントモード（第１の印刷モード）。前記定着装置を通過した記録材を少なくとも含む記録剤に対して転写を行うモードを両面プリントモード（第２の印刷モード）として説明を行なったがこれに限られることはない。例えば、片面プリントではあるが、記録紙にトナー像を転写後１回定着を行なった後に、再度定着画像の上にトナー像を転写するような場合は、第２の印刷モードとして取り扱ってもよい。なお、第１の印刷モードは、定着装置を通過した記録材が現像剤像を転写される位置を通過しないモードである。第２の印刷モードは、前記定着装置を通過した記録材が現像剤像を転写される位置を通過するモードである。